(57)【要約】【課題】監視箇所を絞り、機器を小型にして設置を容易にさせ、簡易ながらも手軽に防犯効果を得られるセンサ内蔵型小型通信端末を提供する。【解決手段】携帯電話端末において、携帯電話端末の筐体（３）には、その筐体が予め定められた設定状態から変化した異常状態を検知して異常状態検知出力を出力する異常検知センサ（４，５）と、異常状態を報知する異常報知情報を記憶する報知情報記憶手段（１，１１，１２，１３）と、異常検知出力に応答して異常報知情報を公衆網を通じて予め設定された連絡先に通知する通報手段（１１，１４）とを備えている。異常検知センサ（４，５）は、本体センサと別体センサよりなる近接スイッチにより構成することができ、本体センサと別体センサの一方が携帯電話端末の筐体（３）に配置され、他方が配置対象側に取付けられる。【選択図】  図３
2004159041.tif 000002
【特許請求の範囲】
【請求項１】
携帯電話端末において、
該携帯電話端末の筐体には、該筐体が予め定められた設定状態から変化した異常状態を検知して異常状態検知出力を出力する異常検知センサと、
前記異常状態を報知する異常報知情報を記憶する報知情報記憶手段と、
前記異常検知出力に応答して前記異常報知情報を公衆網を通じて予め設定された連絡先に通知する通報手段と
を備えたことを特徴とするセンサ内蔵型携帯電話端末。
【請求項２】
前記異常検知センサは、前記携帯電話端末の筐体の一部と着脱自在に結合するように該筐体とは別体に設けられた別体センサ部と、前記携帯電話端末の筐体に設けられた本体センサ部とを備え、
前記予め定められた設定状態は、ドアもしくは、開き戸が閉止された状態として設定されており、
前記別体センサ部と前記本体センサとの一方と他方は、それぞれ、前記ドアもしくは開き戸と該ドアもしくは開き戸を閉止するための枠体側とに取り付けられており、
該ドアもしくは開き戸が閉止されたときに前記別体センサ部と前記本体センサ部とが結合して前記予め定められた設定状態となり、
該ドアもしくは開き戸が開いたときに前記別体センサ部と前記本体センサ部とが互いに分離して前記異常状態となる
ように構成されたことを特徴とする請求項１に記載のセンサ内蔵型携帯電話端末。
【請求項３】
前記携帯電話端末には、前記異常検知センサが前記の動作を行うことを可能とするオン状態と不可能とするオフ状態とに制御されるオンオフ制御スイッチが備えられていることを特徴とする請求項１又は２に記載のセンサ内蔵型小型通信端末。
【発明の詳細な説明】
【０００１】
【発明の属する技術分野】
本発明は、携帯電話機技術を応用し、簡易な防犯システムを提供するための装置に関するものである。
【０００２】
【従来の技術】
従来の家庭用防犯装置は家庭内の所望の箇所にセンサを設置し、制御端末で状況を監視し、異常発生の際は有線の公衆網や、専用線を通じて緊急連絡を行う事が多い。
【０００３】
このような警報方式としては、通信機器の不正使用に対する警報を発生するものもある（例えば特許文献１参照）。
【０００４】
【特許文献１】
特開平７−５８９２５号公報
【０００５】
【発明が解決しようとする課題】
上述した従来の方法は大掛かりな場合が多く、設置するのに面倒な配線工事や専門業者の介入が必要であった。
【０００６】
本発明の目的は、監視箇所を絞り、機器を小型にして設置を容易にさせ、簡易ながらも手軽に防犯効果を得られるセンサ内蔵型小型通信端末を提供することにある。
【０００７】
【課題を解決するための手段】
この目的を達成するために、本発明によるセンサ内蔵型携帯電話端末は、携帯電話端末において、
該携帯電話端末の筐体には、該筐体が予め定められた設定状態から変化した異常状態を検知して異常状態検知出力を出力する異常検知センサと、
前記異常状態を報知する異常報知情報を記憶する報知情報記憶手段と、
前記異常検知出力に応答して前記異常報知情報を公衆網を通じて予め設定された連絡先に通知する通報手段とを備えたことを特徴とする構成を有している。
前記異常検知センサは、前記携帯電話端末の筐体の一部と着脱自在に結合するように該筐体とは別体に設けられた別体センサ部と、前記携帯電話端末の筐体に設けられた本体センサ部とを備え、
前記予め定められた設定状態は、ドアもしくは、開き戸が閉止された状態として設定されており、
前記別体センサ部と前記本体センサとの一方と他方は、それぞれ、前記ドアもしくは開き戸と該ドアもしくは開き戸を閉止するための枠体側とに取り付けられており、
該ドアもしくは開き戸が閉止されたときに前記別体センサ部と前記本体センサ部とが結合して前記予め定められた設定状態となり、
該ドアもしくは開き戸が開いたときに前記別体センサ部と前記本体センサ部とが互いに分離して前記異常状態となるように構成することができる。
また、前記携帯電話端末には、前記異常検知センサが前記の動作を行うことを可能とするオン状態と不可能とするオフ状態とに制御されるオンオフ制御スイッチが備えられている構成をとることができる。
【０００８】
【作用】
以上の構成により、複雑な配線工事等を要せず、また管理業者等との契約も要しない、完全な個人管理にて不用意な玄関からの侵入を監視することが可能となる。
【０００９】
【発明の実施の形態】
図１は玄関ドア内側（室内側）に本発明を実施した製品を設置した様子を表す実施例であり、１は玄関ドア、２はドアを閉止するための枠体、３は本体、４は本体センサ、５は本体センサ４と対となるようにドア１が閉止される枠体２に取り付けられた別体センサを表す。玄関ドア１としては、ドア形式に限らず開き戸形式のものでもよい。
【００１０】
図２は本発明を実施した製品の構成を表す概念図であり、３は本体、４は本体センサ、５は本体センサ４と対になる別体センサ、６は表示部、７は操作部、８は監視モードを切換えるための監視モードスイッチを表す。本体センサ４と別体センサ５とは、例えば、一方が永久磁石で他方がリードスイッチよりなる近接スイッチを構成している。
本体センサ４は本体３に内蔵されている状態であり、本体３と別体センサ５は完全に切り離された別の部品である。実用にあたっては、本体３をドア１に固定（粘着もしくはネジ止め）し、別体センサ５は壁側に固定（同じ粘着もしくはネジ止め）する。その際、本体センサ４と別体センサ５がドア１を閉めた状態で最接近するように位置を調節し設定する。この状態が、「予め設定された状態」であり、ドア１が開いた状態が「異常状態」である。ここで、前記の近接スイッチを構成するリードスイッチがその「予め設定された状態」でＯＦＦとなる接点を用いているときには、その接点は「異常状態」においてＯＮとなる。
位置設定の前または後に、操作部７を用いて予め定めた連絡先の設定を行う。実際の処理動作としては、外出前に監視モードスイッチ８を押下し、監視モードに移行するだけである。
この監視モード移行後、本体センサ４と別体センサ５間が離れて（＝ドアが開いて）「異常状態」となった時点で、前記の近接スイッチを構成するリードスイッチの接点がＯＮとなることにより、その「異常状態」が検知され、そのリードスイッチの接点のＯＮ出力により、設定した連絡先に携帯電話機から連絡（音声やＥメール等）が行われる仕組みである。
【００１１】
図３は電子的な構成を表す概念図であり、１１はＣＰＵ、１２はＲＡＭ、１３はＲＯＭ、１４は通信用アンテナ、１５は入出力部、４は本体センサ、５は別体センサ、６は表示部、７は操作部、８は監視モードスイッチをそれぞれ表している。実際の使用時を想定した場合、監視モードスイッチ８を押下し、監視モードに移行すると、本体センサ４と別体センサ５間により構成された近接スイッチはＯＮ状態となり、入出力部１５でこれを検知する。この監視モード中に、ドア１が開いて「異常状態」となった時点で、この本体センサ４と別体センサ５により構成された近接スイッチがＯＦＦ状態となる。この近接スイッチのＯＦＦ状態により「異常状態」を検知した入出力部１５がその検知信号をＣＰＵ１１に送り、ＲＯＭ１３に記憶されたプログラムに従い、ＲＡＭ１２に記憶された連絡先に対し、アンテナ１４を通じてその「異常状態」を予め定めた警報又はメッセージで連絡を行う。表示部６と操作部７は、連絡先を設定したり、連絡手段や内容等の設定を行う際に用いる。
【００１２】
なお、本体センサ４と別体センサ５とが構成する近接スイッチのリードスイッチとして、「予め設定された状態」にＯＮとなり、「異常状態」にＯＦＦとなる接点１と「予め設定された状態」にＯＦＦとなり、「異常状態」にＯＮとなる接点２とを有するものを用いれば、接点１のＯＮにより「予め設定された状態」を検知し、接点２のＯＮにより「異常状態」を検知せしめることが可能である。但し、接点のＯＦＦにより検知する場合には、接点１により「異常状態」を検知し、接点２により「予め設定された状態」を検知することになる。
また、監視モードスイッチ８については、独立で構成する必要はなく、例えば、本体３を形成する携帯電話端末上のダイヤルボタン（例えば「＃」）を利用することができる。
【００１３】
【発明の効果】
以上詳細に説明したように、本発明によれば、最近広く用いられている携帯電話機技術を応用し、簡単にして設置容易な構造で所定の防犯機能を確実に発揮する効果が得られる。
【図面の簡単な説明】
【図１】本発明を実施した製品の設置状態を表す図である。
【図２】本発明を実施した製品の構成を表す図である。
【図３】本発明装置の電子的構成を表すブロック図である。
【符号の説明】
１  玄関ドア
２  室内壁
３  本体
４  本体センサ
５  別体センサ
６  表示部
７  操作部
８  監視モードスイッチ
１１  ＣＰＵ
１２  ＲＡＭ
１３  ＲＯＭ
１４  通信アンテナ
１５  入出力部
【図１】
2004159041.tif 000003
【図２】
2004159041.tif 000004
【図３】
2004159041.tif 000005